【手続補正書】
【提出日】平成18年1月31日(2006.1.31)
【手続補正１】
【補正対象書類名】明細書
【補正対象項目名】発明の名称
【補正方法】変更
【補正の内容】
【発明の名称】コンピュータ及びコンピュータに於けるデジタルオーディオビデオデータの再生方法
【手続補正２】
【補正対象書類名】明細書
【補正対象項目名】特許請求の範囲
【補正方法】変更
【補正の内容】
【特許請求の範囲】
【請求項１】  プレイリストに設定された情報に従いデジタルオーディオビデオデータを再生する機能を備えたコンピュータに於いて、前記プレイリストの内容に従うデジタルオーディオビデオデータの再生終了時に、前記プレイリスト上に於ける再生終了時の情報を少なくとも次の再生開始時まで保持する手段、及びハードウェアスイッチを有し、前記ハードウェアスイッチが操作されたとき、前記保持された情報を用いて前記プレイリストの内容に従うデジタルオーディオビデオデータを再生処理することを特徴としたコンピュータ。
【請求項２】  ディスクメディアの再生機能及びデジタルオーディオビデオデータの再生機能をもつコンピュータに於いて、
ディスクメディアまたはデジタルオーディオビデオデータを再生対象として選択し再生を指示する単一のハードウェアスイッチと、
再生対象となるデジタルオーディオビデオデータを指定する情報を任意数登録したプレイリストを作成する手段、及び当該作成されたプレイリストを保持する手段と、
前記プレイリスト上に於ける再生終了時の情報を保持する手段と、
前記ハードウェアスイッチの操作内容を判別し、当該判別した操作内容がデジタルオーディオビデオデータの再生指示であるとき、前記保持された情報を参照して前記プレイリストの内容に従うデジタルオーディオビデオデータの再生を開始する手段と
を具備してなることを特徴とするコンピュータ。
【請求項３】  ディスクメディアの再生手段、及びデジタルオーディオビデオデータの再生手段と、
再生を指示するハードウェアスイッチと、
前記各再生手段で再生可能な再生対象を指定する情報を任意数登録したプレイリストを作成する手段、及び当該作成されたプレイリストを保持する手段と、
前記ハードウェアスイッチが操作された際に前記プレイリストを参照し、再生を開始する再生対象がデジタルオーディオビデオデータであるか否かを判断する手段と、
前記再生対象がデジタルオーディオビデオデータであるとき、前記デジタルオーディオビデオデータの再生手段を駆動して前記プレイリストの内容に従う再生を実行する手段と、
前記再生の対象がデジタルオーディオビデオデータでないとき、前記ディスクメディアの再生手段を駆動して前記プレイリストの内容に従う再生を実行する手段と
を具備してなることを特徴とするコンピュータ。
【請求項４】  ディスクメディアの再生手段、及びデジタルオーディオビデオデータの再生手段と、
前記各再生手段で再生可能な再生対象を指定する情報を任意数登録したプレイリストを作成する手段、及び当該作成されたプレイリストを保持する手段と、
前記プレイリストを用いた再生時に、当該プレイリストを参照して、再生を開始する再生対象がデジタルオーディオビデオデータであるか否かを判断する手段と、
前記再生対象がデジタルオーディオビデオデータであるとき、前記デジタルオーディオビデオデータの再生手段を駆動して前記プレイリストの内容に従う再生を実行する手段と、
前記再生の対象がデジタルオーディオビデオデータでないとき、前記ディスクメディアの再生手段を駆動して前記プレイリストの内容に従う再生を実行する手段と
を具備してなることを特徴とするコンピュータ。
【請求項５】  ディスクメディアの再生手段、及びデジタルオーディオビデオデータの再生手段と、
ディスクメディアまたはデジタルオーディオビデオデータを再生対象として選択し再生を指示する単一のハードウェアスイッチと、
前記各再生手段で再生可能な再生対象を指定する情報を任意数登録したプレイリストを作成する手段、及び当該作成されたプレイリストを保持する手段と、
前記ハードウェアスイッチが操作された際に当該ハードウェアスイッチの操作内容を判別する手段と、
前記判別した操作内容がデジタルオーディオビデオデータの再生指示であるとき、前記デジタルオーディオビデオデータの再生手段を駆動して前記プレイリストの内容に従うデジタルオーディオビデオデータの再生を実行する手段と、
前記判別した操作内容がディスクメディアの再生指示であるとき、前記ディスクメディアの再生手段を駆動して前記プレイリストの内容に従うディスクメディアの再生を実行する手段と
を具備してなることを特徴とするコンピュータ。
【請求項６】  再生対象となるデジタルオーディオビデオデータを指定する任意数の情報を登録したプレイリストと、
デジタルオーディオビデオデータの再生を指示するハードウェアスイッチと、
前記ハードウェアスイッチの操作に伴い起動されるプログラムと、
前記プログラムの起動により、前記プレイリストの内容に従うデータ供給源からデジタルオーディオビデオデータをロードし当該データを再生処理する手段と
を具備してなることを特徴とするコンピュータ。
【請求項７】  前記プレイリストに従うデジタルオーディオビデオデータの再生時に、当該プレイリストの内容を一覧表示する、若しくは前記プレイリストの内容を現在再生中のデータ登録位置と他のデータ登録位置とで表示形態を変えて一覧表示することを特徴とする請求項１または２または３または４または５または６記載のコンピュータ。
【請求項８】  前記プレイリストの内容に従うデジタルオーディオビデオデータの再生時に、当該再生データの順送り、逆送りを指示するハードウェアスイッチと、当該スイッチ操作に従う割込み処理により前記プレイリストを参照して前記スイッチ操作に従う再生データを順送り、逆送り制御する手段とを具備することを特徴とする請求項１または２または３または４または５または６記載のコンピュータ。
【請求項９】  複数のプレイリストを管理するプレイリストの管理手段と、当該管理手段で管理された複数のプレイリストから任意のプレイリストを選択して当該プレイリストに於ける登録データの追加、削除、並べ替えを可能にする編集画面の表示出力手段とを具備することを特徴とする請求項１または２または３または４または５または６記載のコンピュータ。
【請求項１０】  プレイリストに設定された情報に従いデジタルオーディオビデオデータを再生する機能を備えたコンピュータに於いて、前記プレイリストの内容に従うデジタルオーディオビデオデータの再生終了時に、前記プレイリスト上に於ける再生終了時の情報を少なくとも次の再生開始時まで保持する手段を有し、特定のハードウェアスイッチが操作されたとき、前記保持された情報を用いて前記プレイリストの内容に従うデジタルオーディオビデオデータを再生処理することを特徴とするコンピュータに於けるデジタルオーディオビデオデータの再生方法。
【請求項１１】  デジタルオーディオビデオデータの再生手段と、再生対象となるデジタルオーディオビデオデータを指定する情報を任意数登録したプレイリストと、デジタルオーディオビデオデータの再生を指示するハードウェアスイッチと、前記ハードウェアスイッチの操作に伴い起動されるプログラムとを備えたコンピュータに於けるデジタルオーディオビデオデータの再生方法であって、前記プログラムは、前記ハードウェアスイッチの操作によるデジタルオーディオビデオデータの再生指示を認識するステップと、前記認識に伴い前記プレイリストの内容に従うデジタルオーディオビデオデータをデータ供給源からロードするステップと、前記ロードしたデジタルオーディオビデオデータの再生を前記再生手段に指示するステップとを具備してなることを特徴とするコンピュータに於けるデジタルオーディオビデオデータの再生方法。
【請求項１２】  ディスクメディア及びデジタルオーディオビデオデータの再生機能と、ディスクメディアまたはデジタルオーディオビデオデータを再生対象として選択し再生を指示する単一のハードウェアスイッチと、再生対象となるデジタルオーディオビデオデータを指定する情報を任意数登録したプレイリストとを備えたコンピュータに於けるデジタルオーディオビデオデータの再生方法であって、
前記ハードウェアスイッチが操作されたことを検出するスイッチ操作検出ステップと、
前記スイッチ操作検出ステップで前記ハードウェアスイッチの操作が検出されたとき、前記プレイリストを参照して、再生を開始する再生対象がデジタルオーディオビデオデータであるか否かを判断する判断ステップと、
前記判断ステップで再生対象がデジタルオーディオビデオデータであることを判断したとき、前記デジタルオーディオビデオデータの再生手段を駆動して前記プレイリストの内容に従う再生を実行するステップと、
前記判断ステップで再生の対象がデジタルオーディオビデオデータでないことを判断したとき、前記ディスクメディアの再生手段を駆動して前記プレイリストの内容に従う再生を実行するステップと
を具備してなることを特徴とするコンピュータに於けるデジタルオーディオビデオデータの再生方法。
【請求項１３】  ディスクメディアの再生手段、及びデジタルオーディオビデオデータの再生手段と、前記各再生手段で再生可能な再生対象を指定する情報を任意数登録したプレイリストを作成する手段、及び当該作成されたプレイリストを保持する手段とを備えたコンピュータに於けるデジタルオーディオビデオデータの再生方法であって、
前記プレイリストを用いた再生時に、当該プレイリストを参照し、再生を開始する再生対象がデジタルオーディオビデオデータであるか否かを判断する判断ステップと、
前記判断ステップで前記再生対象がデジタルオーディオビデオデータであることを判断したとき、前記デジタルオーディオビデオデータの再生手段を駆動して前記プレイリストの内容に従う再生を実行するステップと、
前記判断ステップで前記再生の対象がデジタルオーディオビデオデータでないことを判断したとき、前記ディスクメディアの再生手段を駆動して前記プレイリストの内容に従う再生を実行するステップと
を具備してなることを特徴とするコンピュータに於けるデジタルオーディオビデオデータの再生方法。
【請求項１４】  ディスクメディアの再生手段、及びデジタルオーディオビデオデータの再生手段と、ディスクメディアまたはデジタルオーディオビデオデータを再生対象として選択し再生を指示する単一のハードウェアスイッチと、前記各再生手段で再生可能な再生対象を指定する情報を任意数登録したプレイリストを作成する手段、及び当該作成されたプレイリストを保持する手段とを備えたコンピュータに於けるデジタルオーディオビデオデータの再生方法であって、
前記ハードウェアスイッチが操作された際に当該ハードウェアスイッチの操作内容を判別する判別ステップと、
前記判別ステップで判別した操作内容がデジタルオーディオビデオデータの再生指示であるとき、前記デジタルオーディオビデオデータの再生手段を駆動して前記プレイリストの内容に従うデジタルオーディオビデオデータの再生を実行する処理ステップと、
前記判別ステップで判別した操作内容がディスクメディアの再生指示であるとき、前記ディスクメディアの再生手段を駆動して前記プレイリストの内容に従うディスクメディアの再生を実行する処理ステップと
を具備してなることを特徴とするコンピュータに於けるデジタルオーディオビデオデータの再生方法。
【手続補正３】
【補正対象書類名】明細書
【補正対象項目名】０００１
【補正方法】変更
【補正の内容】
【０００１】
【発明の属する技術分野】
本発明は、デジタルオーディオビデオデータの再生対象及び再生順を設定したプレイリストに従いデジタルオーディオビデオデータを再生する機能を備えたコンピュータ、及びコンピュータに於けるデジタルオーディオビデオデータの再生方法に関する。
【手続補正４】
【補正対象書類名】明細書
【補正対象項目名】０００２
【補正方法】変更
【補正の内容】
【０００２】
また本発明は、ディスクメディアの再生手段、及びデジタルオーディオビデオデータの再生手段とを備えたコンピュータ、及びコンピュータに於けるデジタルオーディオビデオデータの再生方法に関する。
【手続補正５】
【補正対象書類名】明細書
【補正対象項目名】０００６
【補正方法】変更
【補正の内容】
【０００６】
本発明は上記実情に鑑みなされたもので、デジタルオーディオデータの再生機能を備えたコンピュータに於いて、デジタルオーディオビデオデータの再生や再生する対象の切り替え操作を容易かつ迅速に行なうことのできる操作性のよいコンピュータ、及びコンピュータに於けるデジタルオーディオビデオデータの再生方法を提供することを目的とする。
【手続補正６】
【補正対象書類名】明細書
【補正対象項目名】０００７
【補正方法】変更
【補正の内容】
【０００７】
また本発明は、デジタルオーディオビデオデータの再生機能とデジタルオーディオビデオデータの再生機能とを備えたコンピュータに於いて、上記各再生機能の再生指示や再生する対象の切り替え指示を簡単な操作で容易かつ迅速に行なうことのできる操作性に優れたコンピュータ、及びコンピュータに於けるデジタルオーディオビデオデータの再生方法を提供することを目的とする。
【手続補正７】
【補正対象書類名】明細書
【補正対象項目名】０００８
【補正方法】変更
【補正の内容】
【０００８】
また、本発明は、コンピュータ本体の筐体定位置に固定的に設けられたハードウェアスイッチの操作のみで、デジタルオーディオビデオデータの再生や、再生する対象の切り替え操作が行なえる、操作性に優れたコンピュータ、及びコンピュータに於けるデジタルオーディオビデオデータの再生方法を提供することを目的とする。
【手続補正８】
【補正対象書類名】明細書
【補正対象項目名】００８５
【補正方法】変更
【補正の内容】
【００８５】
【発明の効果】
以上詳記したように本発明によれば、デジタルオーディオデータの再生機能を備えたコンピュータに於いて、デジタルオーディオビデオデータの再生や再生する対象の切り替え操作を容易かつ迅速に行なうことのできる操作性のよいデジタルオーディオビデオデータの再生機構を実現できるコンピュータ、及びコンピュータに於けるデジタルオーディオビデオデータの再生方法が提供できる。
【手続補正９】
【補正対象書類名】明細書
【補正対象項目名】００８６
【補正方法】変更
【補正の内容】
【００８６】
また本発明によれば、デジタルオーディオビデオデータの再生機能とデジタルオーディオビデオデータの再生機能とを備えたコンピュータに於いて、上記各再生機能の再生指示や再生する対象の切り替え指示を簡単な操作で容易かつ迅速に行なうことのできるコンピュータ、及びコンピュータに於けるデジタルオーディオビデオデータの再生方法が提供できる。
【手続補正１０】
【補正対象書類名】明細書
【補正対象項目名】００８７
【補正方法】変更
【補正の内容】
【００８７】
また、本発明によれば、コンピュータ本体の筐体定位置に固定的に設けられたハードウェアスイッチの操作のみで、デジタルオーディオビデオデータの再生や、再生する対象の切り替え操作が行なえる、操作性を向上したコンピュータ、及びコンピュータに於けるデジタルオーディオビデオデータの再生方法が提供できる。